(57)【要約】      （修正有）【課題】フレッシュフルーツの自動搾汁及びコップへの注入、並びに密封を完成させ、人工作業を必要としないフレッシュフルーツを搾汁する自動販売機を提供する。【解決手段】一種のフレッシュフルーツ２を搾汁する自動販売機に関するものであり、特にそれは、新鮮な果物を販売機上部に直接入れ、回路制御部１６により果実導出部１１、カット圧搾部１２、コップ台回転盤１３、及び密封口部１４等の動作を制御し、更に消費者が販売機上に設けた選択キーを選び金銭を投入すると、フレッシュフルーツ２は上部の果実導出部１１から順に下方のカット圧搾部１２に進入し、並びに果汁を搾り終わった後は、果汁を密封口部１４の密封機のコップサポート台上に既に配置済みのコップ内に導き、最後に密封機で口を密閉することにより、新鮮な果実を自動搾汁して密封を完成する目的を達成し、人工作業を必要とせずにフレッシュフルーツを自動搾汁する自動販売機の設計である。【選択図】図１
0003142793.tif 000002
【実用新案登録請求の範囲】
【請求項１】
自動販売機上部にフレッシュフルーツを入れる果実導出部を設け、該果実導出部下方にはカット圧搾部を設け、果実導出部内に入れる該フレッシュフルーツは、制御されて順序に基づき該カット圧搾部に入り切り開き圧搾され、並びに、販売機内には密封機を備える密封口部を設け、該密封口部には制御を受けて移動を起こすコップサポート台を備え、該コップサポート台上方には多種の異なる規格のコップを配置するコップ台回転盤を設け、必要な規格を選択したコップはコップサポート台上に下方向に落下配置され、回路制御部の制御によって果実導出部、カット圧搾部、コップ台回転盤、及び密封口部等を含む部位は予定動作を起こし、これにより、フレッシュフルーツの自動搾汁とコップへの注入、並びに密封を完成する目的を達成することを特徴とするフレッシュフルーツを搾汁する自動販売機。
【請求項２】
前記の自動販売機上部には果実導出部を設け、該箇所にはフレッシュフルーツを入れる内設エリアを設け、内設エリア底部には落下入口を設け、並びに落下入口の一方側には回転盤を設け、該回転盤の回転によって内設エリア内のフレッシュフルーツは動かされた後、落下入口から導管に進入して下方のカット圧搾部まで導かれることを特徴とする請求項１記載のフレッシュフルーツを搾汁する自動販売機。
【請求項３】
前記のカット圧搾部は、下サポート体と昇降圧搾ヘッドを備える圧搾部品、及びフレッシュフルーツが該圧搾部品に入るのを制御する導入制御容器を含み、該導入制御容器の容器口箇所には昇降を制御するゲート板を設けて、フレッシュフルーツが圧搾部品に入るのを制御し、並びに下サポート体上方両側に組み合わせて配置した弾性サポート台により、フレッシュフルーツが導入制御容器から転がり出た後、該弾性サポート台に沿って圧搾部品の下サポート体と昇降圧搾ヘッド間まで転がり、該昇降圧搾ヘッドが下方向の下サポート体を圧合するとフレッシュフルーツは圧搾され、流出する果汁は下方向の下サポート体下方に位置する収集エリアに流れ落ち、並びに収集エリア下方の何れか一つの導管によって密封口部の密封機のコップサポート台上のコップ内に導かれることを特徴とする請求項１記載のフレッシュフルーツを搾汁する自動販売機。
【請求項４】
前記の導入制御容器内の底部に一端が昇降する制御停止体を設け、何れか一つのフレッシュフルーツがカット圧搾部において圧搾される場合、別のフレッシュフルーツは該制御停止体の制御停止を受けて該箇所に停止し、圧搾部品位置のフレッシュフルーツが圧搾を完了すると、起動される該弾性サポート台は一方側に反転し、また圧搾を完了したフレッシュフルーツの果皮が剥かれて一方側の排出容器に投げ入れられた後、該弾性サポート台は回復定位し、その後、前記の導入制御容器内に設けた制御停止体の一端は瞬時下降し、フレッシュフルーツは圧搾部品の圧搾位置に転がり入り、また、制御停止体の一端は上昇位置に戻り、次のフレッシュフルーツを指令待ち位置にストップさせることを特徴とする請求項３記載のフレッシュフルーツを搾汁する自動販売機。
【請求項５】
前記の密封機のコップサポート台上に重量センサを設け、回路制御部に予め設定した異なる容量規格のコップデータにより、コップに注入する果汁が所定重量に達すると、前記のフレッシュフルーツの搾汁動作は停止され、フレッシュフルーツの搾汁動作が停止されると、内設エリアの落下入口の一方側に設けた回転盤は回転停止し、また導入制御容器の容器口に設けたゲート板は上昇して導入制御容器の容器口を密閉し、同時に収集エリアに設けた果汁を導き流す導管の入口に配置した制御バルブは閉じており、コップサポート台は、ジュースを注入したコップを内側方向にプッシュ移動して密封機の密封口位置に進入させ、密封口フィルムによって口を密封し、密封完了後、コップサポート台は口を密封したコップをコップ取り口近くまで押し出した後、消費者に取り出させることを特徴とする請求項１記載のフレッシュフルーツを搾汁する自動販売機。
【請求項６】
前記のコップ台回転盤上には、異なる容量のコップを置く多数のコップ置き台を設け、販売機上に設けた選択キーを選び金銭を投入すると、該コップ台回転盤は回転を生じ、並びに規格を選択したコップを密封機のコップサポート台上方まで回転させ、並びにコップサポート台の移動によってコップを取り出せることを特徴とする請求項１記載のフレッシュフルーツを搾汁する自動販売機。
【請求項７】
前記の収集エリア箇所には水スプレーヘッドを設け、回路制御部の設定に基づき、特定時間に水スプレーヘッドが起動し、水をスプレーして収集エリア内の洗浄を行い、並びに、収集エリア底部に設けた別の導管は洗浄後の水を導き出すことを特徴とする請求項３記載のフレッシュフルーツを搾汁する自動販売機。
【請求項８】
前記の導管の入口には更に制御バルブを設け、通常は閉じた状態で、洗浄時には開くことを特徴とする請求項７記載のフレッシュフルーツを搾汁する自動販売機。
【請求項９】
前記の販売機上部にある開き蓋は、フレッシュフルーツを果実導出部の内設エリア内に便利に入れる為のものであることを特徴とする請求項１記載のフレッシュフルーツを搾汁する自動販売機。
【考案の詳細な説明】
【技術分野】
【０００１】
本考案は、一種のフレッシュフルーツを搾汁する自動販売機に関するものであり、特に、新鮮な果物を販売機の上部に入れて回路制御部によって果実導出部、カット圧搾部、コップ台回転盤、及び密封口部等の動作を制御して、フレッシュフルーツの自動搾汁及びコップへの盛り付け、並びに密封を完成させる目的を達成し、人工作業を必要としないフレッシュフルーツを自動搾汁する自動販売機の設計に係るものである。
【背景技術】
【０００２】
一般市場における自動販売機は大部分が缶飲料であり、フレッシュフルーツを搾汁する販売機はない。よって、消費者には、身体に無益で身体の健康に悪影響を及ぼす可能性のある缶飲料を飲む選択しかなく、自然飲食愛好者の不便を招いている。
【０００３】
また、現在フレッシュフルーツの圧搾ジュース（非還元ジュース）が欲しい場合は、特定の商店へ赴き購入するしかなく、消費者の不便を引き起こしている。
【考案の開示】
【考案が解決しようとする課題】
【０００４】
本考案の目的は、回路制御部によって果実導出部、カット圧搾部、コップ台回転盤、及び密封口部等の動作を制御して、フレッシュフルーツの自動搾汁及びコップへの注入、並びに密封を完成させ、人工作業不要な全自動過程の効果を達成する。
【課題を解決するための手段】
【０００５】
請求項１の考案は、自動販売機上部にフレッシュフルーツを入れる果実導出部を設け、該果実導出部下方にはカット圧搾部を設け、果実導出部内に入れる該フレッシュフルーツは、制御されて順序に基づき該カット圧搾部に入り切り開き圧搾され、並びに、販売機内には密封機を備える密封口部を設け、該密封口部には制御を受けて移動を起こすコップサポート台を備え、該コップサポート台上方には多種の異なる規格のコップを配置するコップ台回転盤を設け、必要な規格を選択したコップはコップサポート台１４１上に下方向に落下配置され、回路制御部の制御によって果実導出部、カット圧搾部、コップ台回転盤、及び密封口部等を含む部位は予定動作を起こし、これにより、フレッシュフルーツの自動搾汁とコップへの注入、並びに密封を完成する目的を達成することを特徴とするフレッシュフルーツを搾汁する自動販売機としている。
請求項２の考案は、前記の自動販売機上部には果実導出部を設け、該箇所にはフレッシュフルーツを入れる内設エリアを設け、内設エリア底部には落下入口を設け、並びに落下入口の一方側には回転盤を設け、該回転盤の回転によって内設エリア内のフレッシュフルーツは動かされた後、落下入口から導管に進入して下方のカット圧搾部まで導かれることを特徴とする請求項１記載のフレッシュフルーツを搾汁する自動販売機としている。
請求項３の考案は、前記のカット圧搾部は、下サポート体と昇降圧搾ヘッドを備える圧搾部品、及びフレッシュフルーツが該圧搾部品に入るのを制御する導入制御容器を含み、該導入制御容器の容器口箇所には昇降を制御するゲート板を設けて、フレッシュフルーツが圧搾部品に入るのを制御し、並びに下サポート体上方両側に組み合わせて配置した弾性サポート台により、フレッシュフルーツが導入制御容器から転がり出た後、該弾性サポート台に沿って圧搾部品の下サポート体と昇降圧搾ヘッド間まで転がり、該昇降圧搾ヘッドが下方向の下サポート体を圧合するとフレッシュフルーツは圧搾され、流出する果汁は下方向の下サポート体下方に位置する収集エリアに流れ落ち、並びに収集エリア下方の何れか一つの導管によって密封口部の密封機のコップサポート台上のコップ内に導かれることを特徴とする請求項１記載のフレッシュフルーツを搾汁する自動販売機としている。
請求項４の考案は、前記の導入制御容器内の底部に一端が昇降する制御停止体を設け、何れか一つのフレッシュフルーツがカット圧搾部において圧搾される場合、別のフレッシュフルーツは該制御停止体の制御停止を受けて該箇所に停止し、圧搾部品位置のフレッシュフルーツが圧搾を完了すると、起動される該弾性サポート台は一方側に反転し、また圧搾を完了したフレッシュフルーツの果皮が剥かれて一方側の排出容器に投げ入れられた後、該弾性サポート台は回復定位し、その後、前記の導入制御容器内に設けた制御停止体の一端は瞬時下降し、フレッシュフルーツは圧搾部品の圧搾位置に転がり入り、また、制御停止体の一端は上昇位置に戻り、次のフレッシュフルーツを指令待ち位置にストップさせることを特徴とする請求項３記載のフレッシュフルーツを搾汁する自動販売機としている。
請求項５の考案は、前記の密封機のコップサポート台上に重量センサを設け、回路制御部に予め設定した異なる容量規格のコップデータにより、コップに注入する果汁が所定重量に達すると、前記のフレッシュフルーツの搾汁動作は停止され、フレッシュフルーツの搾汁動作が停止されると、内設エリアの落下入口の一方側に設けた回転盤は回転停止し、また導入制御容器の容器口に設けたゲート板は上昇して導入制御容器の容器口を密閉し、同時に収集エリアに設けた果汁を導き流す導管の入口に配置した制御バルブは閉じており、コップサポート台は、ジュースを注入したコップを内側方向にプッシュ移動して密封機の密封口位置に進入させ、密封口フィルムによって口を密封し、密封完了後、コップサポート台は口を密封したコップをコップ取り口近くまで押し出した後、消費者に取り出させることを特徴とする請求項１記載のフレッシュフルーツを搾汁する自動販売機としている。
請求項６の考案は、前記のコップ台回転盤上には、異なる容量のコップを置く多数のコップ置き台を設け、販売機上に設けた選択キーを選び金銭を投入すると、該コップ台回転盤は回転を生じ、並びに規格を選択したコップを密封機のコップサポート台上方まで回転させ、並びにコップサポート台の移動によってコップを取り出せることを特徴とする請求項１記載のフレッシュフルーツを搾汁する自動販売機としている。
請求項７の考案は、前記の収集エリア箇所には水スプレーヘッドを設け、回路制御部の設定に基づき、特定時間に水スプレーヘッドが起動し、水をスプレーして収集エリア内の洗浄を行い、並びに、収集エリア底部に設けた別の導管は洗浄後の水を導き出すことを特徴とする請求項３記載のフレッシュフルーツを搾汁する自動販売機としている。
請求項８の考案は、前記の導管の入口には更に制御バルブを設け、通常は閉じた状態で、洗浄時には開くことを特徴とする請求項７記載のフレッシュフルーツを搾汁する自動販売機としている。
請求項９の考案は、前記の販売機上部にある開き蓋は、フレッシュフルーツを果実導出部の内設エリア内に便利に入れる為のものであることを特徴とする請求項１記載のフレッシュフルーツを搾汁する自動販売機としている。
【考案の効果】
【０００６】
本考案のフレッシュフルーツを搾汁する自動販売機は、、フレッシュフルーツの自動搾汁及びコップへの盛り付け、並びに密封を完成させ、人工作業を必要としないフレッシュフルーツを自動搾汁することを特徴とする。
【考案を実施するための最良の形態】
【０００７】
図１、図２、図３、及び図４に示す通り、本考案のフレッシュフルーツを搾汁する自動販売機は、特に、新鮮なフレッシュフルーツ２を販売機１上部に直接入れ、回路制御部１６の制御により果実導出部１１、カット圧搾部１２、コップ台回転盤１３、及び密封口部１４等を含む部位に予定の動作を起こさせ、更に、フレッシュフルーツ２の自動搾汁とコップ１３２への注入、並びに密封を完成させる目的を達成し、人工作業の不要なフレッシュフルーツを自動搾汁する自動販売機の設計である。
【０００８】
それは販売機１上部に果実導出部１１を設け、該箇所内にフレッシュフルーツ２を入れる内設エリア１１１を設け、内設エリア１１１底部には落下入口１１３を設け、並びに落下入口１１３の一方側には回転盤１１２を設け、内設エリア１１１内のフレッシュフルーツ２は該回転盤１１２の回転によって動かされた後、落下入口１１３から導管１１５に進入して下方のカット圧搾部１２に導かれる。該カット圧搾部１２は、下サポート体１２３と昇降圧搾ヘッド１２２を備える圧搾部品、及びフレッシュフルーツ２が該圧搾部品に進入するのを制御する導入制御容器１２１を含む。該導入制御容器１２１の容器口箇所には昇降を制御するゲート板１２７を設けて、フレッシュフルーツ２が圧搾部品に入れるかどうかを制御し、並びに下サポート体１２３上方両側に組み合わせて配置した弾性サポート台１２３１により、フレッシュフルーツ２が導入制御容器１２１から転がり出た後、該弾性サポート台１２３１に沿って圧搾部品の下サポート体１２３と昇降圧搾ヘッド１２２間まで転がり、該昇降圧搾ヘッド１２２が下方向の下サポート体１２３を圧合することにより、フレッシュフルーツ２は圧搾され、この時昇降圧搾ヘッド１２２の一方側に設けた下プッシュ棒１２３２が該弾性サポート台１２３１を下方に圧し、流出する果汁１３３は下方向の下サポート体１２３下方に位置する収集エリア１２４に流れ落ち、並びに収集エリア１２４下方の何れか一つの導管１２４１によって密封口部１４の密封機のコップサポート台１４１上のコップ１３２内に導かれる。前記の導入制御容器１２１内の底部に一端が昇降する制御停止体１２８を設け、何れか一つのフレッシュフルーツ２がカット圧搾部１２において圧搾される場合、別のフレッシュフルーツ２は該制御停止体１２８の制御停止を受けて該箇所に停止し、圧搾部品位置のフレッシュフルーツ２が圧搾を完了すると、起動される該弾性サポート台１２３１は一方側に反転し、また圧搾を完了したフレッシュフルーツ２の果皮が一方側の排出容器１２５に投げ入れられた後、該弾性サポート台１２３１は回復定位し、前記の導入制御容器１２１内に設けた制御停止体１２８の一端は瞬時下降し、フレッシュフルーツ２は圧搾部品の圧搾位置に転がり進入する。また制御停止体１２８一端は上昇位置に戻り、次のフレッシュフルーツ２を指令待ち位置に止める（図５、図６、図７、図８、図９参照）。密封機のコップサポート台１４１上には、重量センサ１４４を設け、回路制御部１６に予め設定した異なる容量規格のコップ１３２データにより、コップ１３２に注入する果汁１３３が所定重量に達すると、前記のフレッシュフルーツ２の搾汁動作は停止し、即ち、内設エリア１１１の落下入口１１３一方側の回転盤１１２は回転停止し、また導入制御容器１２１の容器口に設けたゲート板１２７は上昇して導入制御容器１２１の容器口を密閉し、同時に収集エリア１２４において果汁１３３の導管１２４１入口に設けた制御バルブ１２４２は閉じており、続いて、コップサポート台１４１は、注入が終わったコップ１３２を内側にプッシュ移動して密封機の密封口位置１４２に進入させ、密封口フィルム１４３によって口を密封する。密封完了後、コップサポート台１４１は密封を完了したコップ１３２をコップ取り口１５の近くまで押し出し、消費者に取り出させる。前記の密封口部１４上方にはコップ台回転盤１３を設け、該コップ台回転盤１３上には異なる容量のコップ１３２を置く多数のコップ置き台１３１を設け、消費者が販売機１上に設けた選択キー１６１を選び、金銭を投入すると、該コップ台回転盤１３は回転を生じ、並びに選んだ規格のコップ１３２を密封機のコップサポート台１４１上方まで回転させ、並びにコップサポート台１４１の移動によってコップ１３２を取り出せる（図１０参照）。この他、前記の収集エリア１２４箇所に水スプレーヘッド１２６を設け、回路制御部１６の設定に基づき、特定時間に水スプレーヘッド１２６が起動され、水をスプレーして収集エリア１２４内の洗浄を行う。並びに、収集エリア１２４底部に設けた別の導管１７は洗浄後の水を導き出す。また該導管１７の入口には制御バルブ１７１を設け、通常は閉じた状態になっており、洗浄時には開く。販売機１上部にある開き蓋１１４は、フレッシュフルーツ２を果実導出部１１の内設エリア１１１内に便利に入れる為のものである。
【０００９】
前述をまとめると、本考案は人工作業を必要としない全自動過程を提供する効果を有する。
【図面の簡単な説明】
【００１０】
【図１】本考案の立体分解局部断面図である。
【図２】本考案の立体外観図である。
【図３】本考案の果実導出部、カット圧搾部、及び密封口部等３部位に関する実施例の立体図である。
【図４】本考案のカット圧搾部及び密封口部に関する実施例立体図及び圧搾部品箇所に設けた水スプレーヘッドに関する実施例拡大詳細図である。
【図５】本考案のカット圧搾部に関する実施例側面図である。
【図６】本考案の圧搾部品部分によるフレッシュフルーツ圧搾時の各動作ステップ図である。
【図７】本考案の圧搾部品部分によるフレッシュフルーツ圧搾時の各動作ステップ図である。
【図８】本考案の圧搾部品部分によるフレッシュフルーツ圧搾時の各動作ステップ図である。
【図９】本考案の圧搾部品部分によるフレッシュフルーツ圧搾時の各動作ステップ図である。
【図１０】本考案のコップ台回転盤と密封機間の側面図である。
【符号の説明】
【００１１】
１  販売機
１１  果実導出部
１１１  内設エリア
１１２  回転盤
１１３  落下入口
１１４  開き蓋
１１５  導管
１２  カット圧搾部
１２１  導入制御容器
１２２  昇降圧搾ヘッド
１２３  下サポート体
１２３１  弾性サポート台
１２３２  下プッシュ棒
１２４  収集エリア
１２４１  導管
１２４２  制御バルブ
１２５  排出容器
１２６  水スプレーヘッド
１２７  ゲート板
１２８  制御停止体
１３  コップ台回転盤
１３１  コップ置き台
１３２  コップ
１３３  果汁
１４  密封口部
１４１  コップサポート台
１４２  密封口位置
１４３  密封口フィルム
１４４  重量センサ
１５  コップ取り口
１６  回路制御部
１６１  選択キー
１７  導管
１７１  制御バルブ
２  フレッシュフルーツ
【図１】
0003142793.tif 000003
【図２】
0003142793.tif 000004
【図３】
0003142793.tif 000005
【図４】
0003142793.tif 000006
【図５】
0003142793.tif 000007
【図６】
0003142793.tif 000008
【図７】
0003142793.tif 000009
【図８】
0003142793.tif 000010
【図９】
0003142793.tif 000011
【図１０】
0003142793.tif 000012